(57)【要約】【課題】  ハンドセットモードとハンズフリーモードとの受話状態の切換えができる携帯型電話端末において、いずれのモード時にも兼用される兼用スピーカから音声を出力するようにしたとしても、Ｓ／Ｎ比が劣化する不都合を極力防止する。【解決手段】  ハンズフリーモード時に音声信号を増幅して兼用スピーカ３から出力させるための第１のアンプ８と、ハンドセットモード時に音声信号を増幅して兼用スピーカ３から出力させるための第２のアンプ９とを設け、第２のアンプ９を、第１のアンプ８に比べて、小さな音量を駆動する小音量駆動用アンプでかつ静的状態のノイズレベルを抑えた低ノイズ用アンプで構成する。【選択図】        図２
2007013402.tif 000002
【特許請求の範囲】
【請求項１】
ユーザが手に持って通話するハンドセットモードとユーザが手に持つことなく通話できるハンズフリーモードとに切換えて使用可能な携帯型電話端末であって、
受信された音声信号を音声として出力するスピーカであって、前記ハンドセットモード時と前記ハンズフリーモード時とのいずれの場合にも兼用される兼用スピーカと、
前記ハンズフリーモード時に前記音声信号を増幅して前記兼用スピーカから出力させるための第１のアンプと、
前記ハンドセットモード時に前記音声信号を増幅して前記兼用スピーカから出力させるための第２のアンプと、
前記ハンズフリーモード時に前記兼用スピーカから出力される音声の音量をユーザがハンズフリー状態で聞き取ることができる音量となる第１の増幅率で前記音声信号を前記第１のアンプにより増幅させる制御を行なうとともに、前記ハンドセットモード時に前記第１の増幅率よりも小さな第２の増幅率で前記音声信号を前記第２のアンプにより増幅させる制御を行なう制御手段とを備え、
前記第２のアンプは、前記第１のアンプに比べて、小さな音量を駆動する小音量駆動用アンプでかつ静的状態のノイズレベルを抑えた低ノイズ用アンプで構成されていることを特徴とする、携帯型電話端末。
【請求項２】
前記第１のアンプと前記兼用スピーカとを導通状態にするとともに前記第２のアンプと前記兼用スピーカとを非導通状態にする第１の回路状態と、前記第２のアンプと前記兼用スピーカとを導通状態にするとともに前記第１のアンプと前記兼用スピーカとを非導通状態にする第２の回路状態との、いずれかに切換える回路状態切換え手段をさらに備え、
前記制御手段は、前記ハンズフリーモード時に前記回路状態切換え手段を前記第１の回路状態に制御し、前記ハンドセットモード時に前記回路状態切換え手段を前記第２の回路状態に制御することを特徴とする、請求項１に記載の携帯型電話端末。
【請求項３】
前記制御手段は、ソフトウェアにより制御を実行することを特徴とする、請求項１または請求項２に記載の携帯型電話端末。
【発明の詳細な説明】
【技術分野】
【０００１】
本発明は、たとえば、携帯電話やＰＨＳ（Personal Handy-phone System）等で代表される携帯型電話端末に関し、詳しくは、ユーザが手に持って通話するハンドセットモードとユーザが手に持つことなく通話できるハンズフリーモードとに切換えて使用可能な携帯型電話端末に関する。
【背景技術】
【０００２】
この種の携帯型電話端末として、従来から一般的に知られているものでは、音声受話装置としてレシーバ、受話信号の拡声器としてスピーカを各々別途に実装し用途によって切換えている。例えば従来の１軸折畳み方式の場合、ハンドセット通話ではマイクＡ１とレシーバＡ２の位置は図８のように配置される。また、ハンズフリー通話ではマイクＡ１とスピーカ３の位置は例えば図９のように配置され、まとめると図１０のような配置となる。
【０００３】
一方、近年は多軸折畳みの構成を持つ携帯型電話端末が、形状に特徴のある端末として存在している。この多軸折畳みを使用する場合、形状変化によってはマイクＡ１、レシーバＡ２の位置関係から、別位置にレシーバＢ４、（あるいはマイクＢ５）を取り付ける必要が発生する。
【０００４】
例えば２軸折畳み方式の場合で折畳まない場合と折畳んだ場合を見た場合、折畳まない状態でのハンドセット通話ではマイクＡ１とレシーバＡ２の位置は図１３のように配置される。また、ハンズフリー通話ではマイクＡ１とスピーカ３の位置は図１４のように配置される。
【０００５】
折畳んだ場合では、折畳みを（図１１に示す回転軸Ａの反転）と（図１２に示す回転軸Ｂの折畳み）に従って折畳んだ場合にハンドセット通話ではマイクＡ１とレシーバＡ２の位置は図１５のように配置されるが、マイクＡ１とレシーバＡ２が重なるような状態で近接する事が見て取れる。
【０００６】
この状態はレシーバＡ２が発した音声をマイクＡ１がひろってしまい、音声入力として通話相手にエコーを返してしまうのできれいな通話品質に影響が大きい。
【０００７】
そこでマイクＡ１から離れた場所に別途、レシーバＢ４を取り付ける必要があり、その場所として例えば図１６に示すレシーバＢ４の位置が選ばれる。
【０００８】
また、ハンズフリー通話ではマイクＡ１とスピーカ３の位置は図１７のように配置され、まとめると図１８となり、ヒンジ部付近でレシーバＢ４とスピーカ３が密集している事がわかる。
【０００９】
次に、レシーバＢ４の追加をしない別の構成を考えてみる。ハンドセット通話の場合はレシーバＡ２を使用する事となり、折畳んだ時のマイクＡ１との近接する状態を避ける為にはマイクＢ５を新たに取り付ける必要が出てくる。
【００１０】
そこでレシーバＡ２から離れた場所にマイクＢ５を取り付ける場所として図１９に示す位置が選ばれる。
【００１１】
これをまとめると図２０の部品配置となり、折畳まない状態では図２１のようにヒンジ付近でマイクＢ５とスピーカ３が密集している事がわかる。
【００１２】
以上の、部品の増加による筐体内実装スペースの制約の問題や、音声入力として通話相手にエコーを返してしまうことによる通話品質の低下の問題を解決するべく、拡声スピーカを通常のレシーバ通話とし兼用することが考えられる。
【００１３】
拡声スピーカを通常のレシーバ通話としても兼用できる構成として、例えば特許文献１や特許文献２に記載のものがある。
【００１４】
特許文献１に開示された技術は、データリンク確立時に取得する通信情報によりアンプゲインの制御を行う技術であり、特許文献２に開示された技術は、装置のステータスに応じて受話経路を切換える発明であり、通話時に装置の開閉状態に応じてステータスを変化させ、自動的に通話経路を切換える事が特徴となっている。
【００１５】
いずれの技術についても、ハンドセットモードとハンズフリーモードとの受話状態の切換え対応は、単純に受信した音声信号の増幅率（ゲイン）を切換えて拡声スピーカ（兼用スピーカ）の音量を切換える方法を採用している。
【特許文献１】特開平１１−２８９２９０号公報
【特許文献２】特開２００３−１８０７８号公報
【発明の開示】
【発明が解決しようとする課題】
【００１６】
前述した、ハンドセットモードとハンズフリーモードとの受話状態の切換え対応を、単純に拡声スピーカ（兼用スピーカ）の音量切換えを手段としている従来の技術の一般的な制御の一例を、図２２に示す。図２２を参照して、アンプの出力電力(Gain)を切換えることができる従来から周知のＣＯＤＥＣ  ＩＣ（coder-decoder integrated circuit）７が設けられ、このＣＯＤＥＣ  ＩＣ７の内部で、ハンズフリー通話時の兼用スピーカ３に対する出力電力(Gain１)と、ハンドセット通話時のレシーバＢと等価出力となる兼用スピーカ３に対する出力電力(Gain２)を制御ＬＳＩ６のソフトウェアで制御し、Gain１またはGain２を使って演算処理された音声信号をアンプ（１）８を経由して兼用スピーカ３に出力する構成とする。なお、出力電力(Gain１)、出力電力(Gain２)は、アンプ（１）８による音声信号の増幅率のことである。
【００１７】
ハンズフリー通話時には、Gain１を選択しGain１を使って演算処理された音声信号をアンプ経由して兼用スピーカ出力する。ハンドセット通話時にレシーバとして使用する際には、Gain２を選択しGain２を使って演算処理された音声信号をアンプ経由して兼用スピーカ３に対してレシーバと等価となる出力をする。
【００１８】
図２３は、図２２に示した制御回路における制御ＬＳＩ６の制御動作を示すフローチャートである。まず、ステップＳ（以下単にＳという）１により、ＧＡＩＮの変更要因の受付処理が行なわれる。このＧＡＩＮ変更要因は、たとえば、ユーザが携帯電話のキー操作部を操作してハンドセットモードからハンズフリーモードへまたはその逆に切換える操作を行なった場合等が考えられる。次にＳ２により、Gain１が要求されたか否かの判断がなされる。ハンドセットモードからハンズフリーモードに切換えられた場合には、Ｓ２により、Gain１が要求されたと判断され、制御がＳ３へ進み、ＣＯＤＥＣ  ＩＣ６にGain１への切換処理の信号を出力する制御が行なわれる。
【００１９】
一方、ハンズフリーモードからハンドセットモードに切換えられた場合には、Ｓ２によりＮＯの判断がなされて制御がＳ４へ進み、ＣＯＤＥＣ  ＩＣにGain２への切換処理の信号を出力する制御がなされる。
【００２０】
このように、従来のものではハンドセット時とハンズフリー時共に同一アンプ（１）８を用いることが前提であり、ハンズフリー時に兼用スピーカ３を大きな音量で駆動できるように設計された大音量駆動用アンプ（１）８を用いて、ハンドセット時すなわちレシーバとしての使用時には出力電力(Gain)の調整のみで出力音量を小さくしていることから、Ｓ／Ｎ比が劣化する不都合が生じる。
【００２１】
本発明は、かかる実情に鑑み考出されたものであり、その目的は、ハンドセットモードとハンズフリーモードとの受話状態の切換えができる携帯型電話端末において、ハンドセットモード時とハンズフリーモード時とのいずれの場合にも兼用される兼用スピーカから音声を出力するようにしたとしても、Ｓ／Ｎ比が劣化する不都合を極力防止できる携帯型電話端末を提供することである。
【課題を解決するための手段】
【００２２】
本発明は、ユーザが手に持って通話するハンドセットモードとユーザが手に持つことなく通話できるハンズフリーモードとに切換えて使用可能な携帯型電話端末であって、受信された音声信号を音声として出力するスピーカであって、ハンドセットモード時とハンズフリーモード時とのいずれの場合にも兼用される兼用スピーカと、ハンズフリーモード時に音声信号を増幅して兼用スピーカから出力させるための第１のアンプと、ハンドセットモード時に音声信号を増幅して兼用スピーカから出力させるための第２のアンプと、ハンズフリーモード時に兼用スピーカから出力される音声の音量をユーザがハンズフリー状態で聞き取ることができる音量となる第１の増幅率で音声信号を第１のアンプにより増幅させる制御を行なうとともに、ハンドセットモード時に第１の増幅率よりも小さな第２の増幅率で音声信号を第２のアンプにより増幅させる制御を行なう制御手段とを備え、第２のアンプは、第１のアンプに比べて、小さな音量を駆動する小音量駆動用アンプでかつ静的状態のノイズレベルを抑えた低ノイズ用アンプで構成されていることを特徴とする。
【００２３】
好ましくは、第１のアンプと兼用スピーカとを導通状態にするとともに第２のアンプと兼用スピーカとを非導通状態にする第１の回路状態と、第２のアンプと兼用スピーカとを導通状態にするとともに第１のアンプと兼用スピーカとを非導通状態にする第２の回路状態との、いずれかに切換える回路状態切換え手段をさらに備え、制御手段は、ハンズフリーモード時に回路状態切換え手段を第１の回路状態に制御し、ハンドセットモード時に回路状態切換え手段を第２の回路状態に制御する。
【００２４】
さらに好ましくは、制御手段は、ソフトウェアにより制御を実行する。
【発明の効果】
【００２５】
本発明によれば、ハンズフリーモード時に音声信号を増幅して兼用スピーカから出力させるための第１のアンプと、ハンドセットモード時に音声信号を増幅して兼用スピーカから出力させるための第２のアンプとが設けられ、第２のアンプは、第１のアンプに比べて、小さな音量を駆動する小音量駆動用アンプでかつ静的状態のノイズレベルを抑えた低ノイズ用アンプで構成されている。その結果、ハンドセットモード時とハンズフリーモード時とのいずれの場合にも兼用される兼用スピーカから音声を出力しつつも、Ｓ／Ｎ比が劣化する不都合を極力防止できる。
【００２６】
また、ハンズフリーモード時に第１のアンプと兼用スピーカとを導通状態にするとともに第２のアンプと兼用スピーカとを非導通状態にする第１の回路状態となり、ハンドセットモード時に第２のアンプと兼用スピーカとを導通状態にするとともに第１のアンプと兼用スピーカとを非導通状態にする第２の回路状態となるようにした場合には、たとえば、ハンドセットモード時にユーザが兼用スピーカを耳に近づけて通話したときに、なんらかの誤動作により第１のアンプを経由して大音量の音声が兼用スピーカから出力される危険な事態を極力回避でき、安全性を向上できる。
【００２７】
さらに、制御手段が、ソフトウェアにより制御を実行するようにした場合には、比較的複雑な制御内容のものであっても容易に設計することができる。
【発明を実施するための最良の形態】
【００２８】
次に、本発明を実施するための最良の形態を図面に基づいて説明する。なお、本実施の形態では、携帯型電話端末の一例として携帯電話を示すが、本発明はこれに限らず、たとえばＰＨＳ（Personal Handy-phone System）等であってもよい。
【００２９】
図１８のレシーバＢ４で行っていた音声の発生を兼用スピーカ３で行う事により、レシーバＢ４を無くし、図１のように構成する。
【００３０】
図１では折畳まない状態でハンドセット通話の場合は図１３の形状となり、この場合に使用される受話部（音声発生部）はレシーバＡ２とする。
【００３１】
図１では折畳まない状態でハンズフリー通話の場合は図１４の形状となり、この場合に使用される受話部（音声発生部）は兼用スピーカ３とする。
【００３２】
図１では折畳んだ状態でハンドセット通話の場合は図１７の形状となり、この場合に使用される受話部（音声発生部）は兼用スピーカ３をレシーバＢ４の等価出力とする。
【００３３】
図１では折畳んだ状態でハンズフリー通話の場合は図１７の形状となり、この場合に使用される受話部（音声発生部）は兼用スピーカ３とする。
【００３４】
次に、回路構成に関する内容について述べる。
図２を参照し、ＣＯＤＥＣ  ＩＣ（coder-decoder integrated circuit）７の内部で、ハンズフリー通話時の兼用スピーカ３に対する出力電力(Gain１)と、ハンドセット通話時のレシーバＢ４と等価出力となる兼用スピーカ３に対する出力電力(Gain２)を制御ＬＳＩ６のソフトウェアで制御し、Gain１、またはGain２を使って演算処理された音声信号をアンプ（１）８を経由して兼用スピーカ３に出力する。なお、出力電力(Gain１)、出力電力(Gain２)は、アンプ（１）８による音声信号の増幅率のことである。また、たとえば、携帯電話のキー操作部をユーザが操作することにより、ユーザが手に持って通話するハンドセットモードとユーザが手に持つことなく通話できるハンズフリーモードとに切換えて使用可能に構成されている。
【００３５】
ハンズフリー通話時には、Gain１を選択しGain１を使って演算処理された音声信号をアンプ（１）８を経由して兼用スピーカ３から出力する。ハンドセット通話時に兼用スピーカ３をレシーバとして使用する際には、Gain２を選択しGain２を使って演算処理された音声信号をアンプ（２）９を経由して兼用スピーカ３に対してレシーバと等価となる出力を行なう。
【００３６】
ハンズフリー通話時には、ＣＯＤＥＣ  ＩＣ７のゲイン設定でGain１の設定、およびアンプ（１）８への出力とするパス設定とし、さらにアンプ（１）８を選択する制御により兼用スピーカ３に音声出力を行う。ハンドセットとしての通話時には、ＣＯＤＥＣ  ＩＣ７のゲイン設定でGain２の設定、およびアンプ（２）９への出力とするパス設定とし、さらにアンプ（２）９を選択する制御により音量を抑えた状態で兼用スピーカ３に音声出力を行い、レシーバ相当出力とする。
【００３７】
次に他の実施形態を、図３に基づいて説明する。図２の実施形態では、アンプ（１）８、９の出力が兼用スピーカ３に直結している構成であり、制御ＬＳＩ６の誤動作がおこれば信号が重なり合う異常な状態も起こりえる。そのような場合の回避策を盛り込んだ構成例が、図３の実施形態である。
図２で述べた、制御ＬＳＩ６によるＣＯＤＥＣ  ＩＣ７内部のゲイン設定、パス設定、アンプ（１）８あるいはアンプ（２）９の選択制御に加え、アンプ（１）８の出力を兼用スピーカ３出力につなぎオン・オフ制御可能なＳＷ（１）１０と、アンプ（２）９の出力を兼用スピーカ３出力につなぎオン・オフ制御可能なＳＷ（２）１１を保有する。ＳＷ（２）１１は、制御ＬＳＩ６からのＳＷ１、ＳＷ２制御信号がインバータ１２を介して与えられるようになっているため、両ＳＷ（１）１０、ＳＷ（２）１１のうち一方がＯＮのときには他方がＯＦＦとなる。
【００３８】
ハンズフリー通話時には、ＣＯＤＥＣ  ＩＣ７のゲイン設定でGain１の設定、およびアンプ（１）８への出力とするパス設定とし、さらにアンプ（１）８を選択する制御と、制御ＬＳＩ６からのＳＷ制御信号によってＳＷ（１）１０をオンする制御によりにより兼用スピーカ３に音声出力を行う。ここで、ＳＷ（２）１１はインバータ１２によってＳＷ制御信号が反転し、ＳＷ（１）１０と逆の動作をすることになるので状態はオフになり、アンプ（２）９側の信号が兼用スピーカ３に流れることはない。ハンドセットとしての通話時には、ＣＯＤＥＣ  ＩＣ７のゲイン設定でGain２の設定、およびアンプ（２）９への出力とするパス設定と、ＳＷ（２）１１をオンする制御にして音量を抑えた状態で兼用スピーカ３に音声出力を行い、レシーバ相当出力とする。ＳＷ（１）１０はオフになり、アンプ（１）８側の信号が兼用スピーカ３に流れることはない。なお、図面上ＳＷ（１）１０とＳＷ（２）１1を分けているが、図４のように２入力から選択するＳＷ１３を使用することで、ひとつのＳＷ１３での構成も可能となる。
【００３９】
次に、図５〜図７に基づいて、制御ＬＳＩの制御動作を説明する。
図５は、図２に示した制御回路における制御ＬＳＩ６の制御動作を示すフローチャートである。ステップＳ（以下単にＳという）１０により、ＧＡＩＮ変更要因の受付処理がなされる。これは、たとえば、ユーザが携帯電話のキー操作部を操作して、ハンズフリーモードからハンドセットモードへまたはその逆のモードに切換える操作を行なった場合にその操作を受付ける処理のことである。次に制御がＳ１１へ進み、Gain１が要求されたか否かの判断がなされる。ハンドセットモードからハンズフリーモードに切換えられた場合には、Ｓ１１によりＹＥＳの判断がなされて制御がＳ１２へ進み、ＣＯＤＥＣ  ＩＣにGain１への切換処理の信号を出力する処理がなされる。この信号を受けたＣＯＤＥＣ  ＩＣ７は、アンプ（１）８およびアンプ（２）９の増幅率をGain１に従ったものに制御するための信号を出力する。次に制御がＳ１３へ進み、アンプ（２）９制御信号をＬｏｗ（アンプ２を非活性）にするとともに、アンプ（１）８制御信号をＨｉ（アンプ１を活性）にする制御がなされる。その結果、Gain１が選択された場合には、アンプ（１）８のみが活性化されてアンプ（２）９は非活性（不能動化）される。これにより、Gain１が選択された場合には、アンプ（１）８のみが能動化されてその増幅率がGain１に従ったものに制御された上で、そのアンプ（１）８を経由して音声信号が兼用スピーカ３に出力され、兼用スピーカ３から音声が出力される。
【００４０】
ハンズフリーモードからハンドセットモードに切換えられた場合には、Ｓ１１によりＮＯの判断がなされて制御がＳ１４へ進み、ＣＯＤＥＣ  ＩＣ７にGain２への切換処理の信号を出力する処理がなされる。その結果、ＣＯＤＥＣ  ＩＣ７は、Gain２に従った増幅率となるようにアンプ（１）８およびアンプ（２）９を制御するための信号を出力する。次に制御がＳ１５へ進み、アンプ１制御信号をＬｏｗ（アンプ１を非活性）にし、アンプ２制御信号Ｈｉ（アンプ２を活性）にする制御がなされる。その結果、Gain２が選択された場合には、アンプ（２）９のみが能動化され、その増幅率がGain２に従ったものとなるように制御された上で、そのアンプ（２）９を経由して音声信号が兼用スピーカ３へ出力され、兼用スピーカ３から音声が出力される。
【００４１】
図６は、図３に示した制御回路における制御ＬＳＩ６の制御動作を示すフローチャートである。図５に示した制御と同じ内容に関しては、説明の繰返しを省略し、相違点について主に説明する。Ｓ２１によりGain１が要求されたと判断された場合には、制御がＳ２２→Ｓ２３→Ｓ２４へ進み、ＳＷ１、ＳＷ２制御信号をＨｉ（ＳＷ１をＯＮ、ＳＷ２をＯＦＦ）にする制御がなされる。その結果、ＳＷ（１）１０がＯＮとなり、ＳＷ（２）がＯＦＦとなるために、アンプ（１）８と兼用スピーカ３とが導通状態となり、アンプ（２）９と兼用スピーカ３とが非導通状態となる。
【００４２】
これにより、Gain１が選択されている場合において、何らかの誤動作によりアンプ（２）９を経由して増幅された音声信号が兼用スピーカ３に与えられて音声が出力される不都合を回避できる。
【００４３】
一方、Ｓ２１によりＮＯの判断がなされた場合には、制御がＳ２５→Ｓ２６→Ｓ２７へ進み、Ｓ２７により、ＳＷ１、ＳＷ２制御信号をＬｏｗ（ＳＷ１をＯＦＦ、ＳＷ２をＯＮ）に制御する処理がなされる。その結果、Gain２が選択されている場合には、アンプ（１）８と兼用スピーカ３とが絶縁状態となり、アンプ（２）９と兼用スピーカ３とが導通状態となる。これにより、Gain２が選択されている場合において、何らかの誤動作により、アンプ（１）８を経由して増幅された音声信号が兼用スピーカ３に与えられて兼用スピーカ３から音声が出力される不都合を防止できる。
【００４４】
図７は、図４に示した制御回路における制御ＬＳＩ６の制御動作を示すフローチャートである。前述したものとの相違点は、Ｓ３１によりＹＥＳの判断がなされた場合に、制御がＳ３２→Ｓ３３→Ｓ３４へ進み、Ｓ３４により、ＳＷ制御信号をＨｉ（ＳＷ３を経由してアンプ１とスピーカとが導通）にする制御がなされる。これにより、アンプ（１）８と兼用スピーカ３とが導通状態となる一方、アンプ（２）９と兼用スピーカ３とは絶縁状態となる。その結果、Gain１が選択されている場合において、何らかの誤動作によりアンプ（２）９を経由して増幅された音声信号が兼用スピーカ３に与えられて兼用スピーカ３から音声が出力される不都合を防止できる。
【００４５】
Ｓ３１によりＮＯの判断がなされた場合に、制御がＳ３５→Ｓ３６→Ｓ３７へ進み、Ｓ３７により、ＳＷ制御信号をＬｏｗ（ＳＷ３を経由してアンプ２とスピーカが導通）にする制御がなされる。その結果、Gain２が選択されている場合には、アンプ（１）８と兼用スピーカ３とが絶縁状態となり、アンプ（２）９と兼用スピーカ３とが導通状態となる。これにより、Gain２が選択されている場合において、何らかの誤動作によりアンプ（１）８を経由して増幅された音声信号が兼用スピーカ３に与えられて兼用スピーカ３から音声が出力される不都合を防止できる。
【００４６】
前述のアンプ（２）９は、アンプ（１）８に比べて、小さな音量を駆動する小音量駆動用アンプ（レシーバ用アンプ）でかつ静的状態のノイズレベルを抑えた低ノイズ用アンプで構成されている。アンプ（１）８はスピーカ用アンプで構成されている。具体的には、例えば、アンプ（１）８は、出力ゲイン２０ｄＢ、Ｓ／Ｎ比７０ｄＢ程度で、ＡＧＣ（Automatic Gain Control）機能付のものである。アンプ（２）９は、出力ゲイン６ｄＢ、Ｓ／Ｎ比９０ｄＢ程度である。このように構成することにより、ハンドセットモード時とハンズフリーモード時とのいずれの場合にも兼用される兼用スピーカ３から音声を出力しつつも、Ｓ／Ｎ比が劣化する不都合を極力防止できる。
【００４７】
以上の実施の形態内容を多軸折畳みの構成を持つ携帯型電話端末に用いれば、以下の効果がある。
【００４８】
レシーバＢ４を廃する事で実装部品数が少なくなり生産コストの削減ができる。
レシーバＢ４の省略によるヒンジ部付近の実装スペース確保に余裕ができる。
【００４９】
実装部品数の減少による故障率の低減ができる。
以上の説明は、実施例を示したものであり、本案の制限的な意味合いを持つものではない。従って、実施例の変更，訂正，改良を行った場合でも、本発明の神髄及び適用有効範囲内に含まれることを意図する。
【図面の簡単な説明】
【００５０】
【図１】２軸ヒンジ機構の部品配置図である。
【図２】要部の回路構成を示すブロック図である。
【図３】他の実施形態における要部の回路構成を示すブロック図である。
【図４】さらに他の実施形態における要部の回路構成を示すブロック図である。
【図５】図２に示した制御回路における制御ＬＳＩの制御動作を示すフローチャートである。
【図６】図３に示した制御回路における制御ＬＳＩの制御動作を示すフローチャートである。
【図７】図４に示した制御回路における制御ＬＳＩの制御動作を示すフローチャートである。
【図８】１軸ヒンジ機構のハンドセット通話時の部品配置図である。
【図９】１軸ヒンジ機構のハンズフリー通話時の部品配置図である。
【図１０】１軸ヒンジ機構の部品配置図である。
【図１１】２軸ヒンジ機構の折畳み手順（回転軸Ａ）を示す図である。
【図１２】２軸ヒンジ機構の折畳み手順（回転軸Ｂ）を示す図である。
【図１３】２軸ヒンジ機構の折畳まない状態でのハンドセット通話時の部品配置図である。
【図１４】２軸ヒンジ機構の折畳まない状態でのハンズフリー通話時の部品配置図である。
【図１５】２軸ヒンジ機構の折畳んだ状態でのマイクＡ１とレシーバＡ２の部品配置図である。
【図１６】２軸ヒンジ機構の折畳んだ状態でレシーバＢ４を配置したハンドセット通話時を示す図である。
【図１７】２軸ヒンジ機構の折畳んだ状態でのハンズフリー通話時を示す図である。
【図１８】２軸ヒンジ機構の部品配置図である。
【図１９】２軸ヒンジ機構の折畳んだ状態でマイクＢ５を配置したハンドセット通話時を示す図である。
【図２０】２軸ヒンジ機構の折畳んだ状態でマイクＢ５を配置した場合の部品配置図である。
【図２１】２軸ヒンジ機構の折畳まない状態でマイクＢ５を配置した場合の部品配置図である。
【図２２】従来例の要部の回路構成を示すブロック図である。
【図２３】図２２に示した制御回路における制御ＬＳＩの制御動作を示すフローチャートである。
【符号の説明】
【００５１】
１  マイクＡ、２  レシーバＡ、３  スピーカ、４  レシーバＢ、５  マイクＢ、６  制御ＬＳＩ、７  ＣＯＤＥＣ  ＩＣ、８  アンプ１、９  アンプ２、１０  ＳＷ１、１１  ＳＷ２、１２  インバータ、１３  ＳＷ３。
【図１】
2007013402.tif 000003
【図２】
2007013402.tif 000004
【図３】
2007013402.tif 000005
【図４】
2007013402.tif 000006
【図５】
2007013402.tif 000007
【図６】
2007013402.tif 000008
【図７】
2007013402.tif 000009
【図８】
2007013402.tif 000010
【図９】
2007013402.tif 000011
【図１０】
2007013402.tif 000012
【図１１】
2007013402.tif 000013
【図１２】
2007013402.tif 000014
【図１３】
2007013402.tif 000015
【図１４】
2007013402.tif 000016
【図１５】
2007013402.tif 000017
【図１６】
2007013402.tif 000018
【図１７】
2007013402.tif 000019
【図１８】
2007013402.tif 000020
【図１９】
2007013402.tif 000021
【図２０】
2007013402.tif 000022
【図２１】
2007013402.tif 000023
【図２２】
2007013402.tif 000024
【図２３】
2007013402.tif 000025